(57)【要約】【課題】精神的、肉体的な疲労回復に効果的で、手軽に口に入れられ、適宜飲料等に溶かして飲め、保存、取扱い等に便利で、比較的柔らかく、口の中で溶け易く、食べ易く、大きさを簡単に揃えられ、摂取量が判り易く、外観上の体裁が良く、型崩れし難く、その保存、取扱い等がより便利となる固形ブドウ糖を提供する。【解決手段】水を含んだ粉末状のブドウ糖を、成形型の充填凹部に加圧充填し、加圧ブドウ糖塊の表面を整え、成形型から取出し乾燥させ、経口可能な寸法で固形化したブドウ糖を主成分とした栄養補助食品で、上面２は、下面１より小さい略正方形状を呈し、外周面は、略等脚台形状を呈し、上面２がわに行くに従って対向面同士が夫々相互に接近する四つの傾斜側面３で形成し、隣設する上面２と傾斜側面３や、隣設する傾斜側面３相互の稜線部分に、比較的大きな曲率半径の湾曲凸面となる湾曲稜線部４を形成する。【選択図】図１
0003111484.tif 000002
【実用新案登録請求の範囲】
【請求項１】
均一に水を含んだ粉末状のブドウ糖を、成形型の充填凹部に加圧充填し、この加圧ブドウ糖塊の表面を整え、加圧ブドウ糖塊を成形型から取出して乾燥せしめて、経口可能な寸法に構成されると共に、適宜厚みを有する平面略正方形状に固形化して構成されるブドウ糖を主成分とした栄養補助食品であって、その上面は、略正方形状を呈すると共に、下面より小さく形成され、その外周面は、略等脚台形状を呈すると共に、上面がわに行くに従って対向面同士が夫々相互に接近するような四つの傾斜側面で形成され、隣設する上面と傾斜側面や、隣設する傾斜側面相互の稜線部分に、比較的大きな曲率半径の湾曲凸面となる湾曲稜線部を形成したことを特徴とする固形ブドウ糖。
【請求項２】
均一に水を含んだ粉末状のブドウ糖を、成形型の充填凹部に加圧充填し、この加圧ブドウ糖塊の表面を整え、加圧ブドウ糖塊を成形型から取出して乾燥せしめて、経口可能な寸法に構成されると共に、適宜厚みを有する平面略正方形状に固形化して構成されるブドウ糖を主成分とした栄養補助食品であって、その上面は、略正方形状を呈すると共に、下面より小さく形成され、その外周面は、略等脚台形状を呈すると共に、上面がわに行くに従って対向面同士が夫々相互に接近するような四つの傾斜側面で形成され、隣設する上面と傾斜側面や、隣設する傾斜側面相互の稜線部分に、比較的大きな曲率半径の湾曲凸面となる湾曲稜線部を形成し、これを適宜合成樹脂製の個装袋に一つ宛密封したことを特徴とする固形ブドウ糖。
【考案の詳細な説明】
【技術分野】
【０００１】
本考案は、消化吸収が速く、脳や体にとって極めて重要なエネルギー源となり、精神的（神経的）な疲労回復や、肉体的な疲労回復に優れた効果を発揮するブドウ糖を利用した栄養補助食品であって、直接食べるようにしても良いし、冷水や、湯や、コーヒー、紅茶等の適宜飲料に溶かして飲むこともでき、摂取量が判り易く、型崩れし難く、その保存、取扱い等がより便利となり、携帯が容易で、衛生的となるように工夫した固形ブドウ糖に関するものである。
【背景技術】
【０００２】
従来、この種の固形タイプのブドウ糖としては、例えば、ブドウ糖を利用した栄養補助食品があり、この栄養補助食品は、比較的大きな塊状に形成されたものを、そのまま袋詰したようなものが提供されていた。しかしながら、これは比較的大きな塊状であるため、その保存や取扱いが大変不便であった。
【０００３】
そこで、前述のような難点等を鑑み、本願考案者は特許文献１に示すようなブドウ糖錠剤を提案した。
これは、経口可能な寸法に構成されると共に、主成分となるブドウ糖及び１パーセント以下のショ糖脂肪酸エステルからなる栄養補助食品であって、錠剤機により適宜厚みを有する適宜形状に固形化して構成したもので、従来のように、比較的大きな塊状のものを小さく砕く必要がなく、その大きさを簡単に揃えることができ、必要な分量が判り易く、型崩れ等が生じ難く、外観上の体裁が良く、携帯が容易で、手軽に利用でき、その保存、取扱いが便利となる等の優れた効果が得られるようになった。
【０００４】
【特許文献１】実用新案登録第３０９５７６０
【考案の開示】
【考案が解決しようとする課題】
【０００５】
そして、本考案は、前記手段による効果に満足することなく、直接食べ易く、冷水や、湯や、コーヒー、紅茶等の適宜飲料に溶かして飲むこともでき、摂取量が判り易く、型崩れし難く、その保存、取扱い等がより便利となり、携帯が容易で、衛生的となるような固形ブドウ糖を提供すべく案出されたものである。
【課題を解決するための手段】
【０００６】
しかして、前述の如き課題等をより高い次元で達成すべく、請求項１記載の固形ブドウ糖Ａにあっては、均一に水を含んだ粉末状のブドウ糖を、成形型の充填凹部に加圧充填し、この加圧ブドウ糖塊の表面を整え、加圧ブドウ糖塊を成形型から取出して乾燥せしめて、経口可能な寸法に構成されると共に、適宜厚みを有する平面略正方形状に固形化して構成されるブドウ糖を主成分とした栄養補助食品であって、その上面２は、略正方形状を呈すると共に、下面１より小さく形成され、その外周面は、略等脚台形状を呈すると共に、上面２がわに行くに従って対向面同士が夫々相互に接近するような四つの傾斜側面３で形成され、隣設する上面２と傾斜側面３や、隣設する傾斜側面３相互の稜線部分に、比較的大きな曲率半径の湾曲凸面となる湾曲稜線部４を形成する手段を採用した。
【０００７】
また、請求項２記載の固形ブドウ糖Ａにあっては、均一に水を含んだ粉末状のブドウ糖を、成形型の充填凹部に加圧充填し、この加圧ブドウ糖塊の表面を整え、加圧ブドウ糖塊を成形型から取出して乾燥せしめて、経口可能な寸法に構成されると共に、適宜厚みを有する平面略正方形状に固形化して構成されるブドウ糖を主成分とした栄養補助食品であって、その上面２は、略正方形状を呈すると共に、下面１より小さく形成され、その外周面は、略等脚台形状を呈すると共に、上面２がわに行くに従って対向面同士が夫々相互に接近するような四つの傾斜側面３で形成され、隣設する上面２と傾斜側面３や、隣設する傾斜側面３相互の稜線部分に、比較的大きな曲率半径の湾曲凸面となる湾曲稜線部４を形成し、これを適宜合成樹脂製の個装袋Ｂに一つ宛密封する手段を採用した。
【考案の効果】
【０００８】
従って、請求項１記載の固形ブドウ糖Ａによれば、精神的な疲労回復や、肉体的な疲労回復に効果的な固形ブドウ糖Ａを、手軽に口に入れて食べられ、また、冷水や、湯や、コーヒー、紅茶等の適宜飲料に溶かして飲むこともでき、保存、取扱い等が便利なものとなる。加えて、固形ブドウ糖Ａ自体は、比較的柔らかに形成でき、口の中で溶け易く、食べ易いものとなる。
【０００９】
しかも、従来のように、比較的大きな塊状のものを小さく砕く必要がなく、更に、その大きさを簡単に揃えることができ、必要な摂取量が判り易く、外観上の体裁が良いものとなる。
【００１０】
特に、固形ブドウ糖Ａ自体が型崩れし難く、その保存、取扱い等がより便利となる。
【００１１】
また、請求項２記載の固形ブドウ糖Ａによれば、精神的な疲労回復や、肉体的な疲労回復に効果的な固形ブドウ糖Ａを、手軽に口に入れて食べられ、また、冷水や、湯や、コーヒー、紅茶等の適宜飲料に溶かして飲むこともでき、保存、取扱い等が便利なものとなる。加えて、固形ブドウ糖Ａ自体は、比較的柔らかに形成でき、口の中で溶け易く、食べ易いものとなる。
【００１２】
しかも、従来のように、比較的大きな塊状のものを小さく砕く必要がなく、更に、その大きさを簡単に揃えることができ、必要な摂取量が判り易く、外観上の体裁が良いものとなる。
【００１３】
特に、固形ブドウ糖Ａ自体が型崩れし難く、その保存、取扱い等がより便利となる。
【００１４】
更に、個装袋Ｂに密封することで、より携帯が容易となり、より衛生的となり、お菓子感覚で何時でも何処でも手軽に食せるようになる。
【考案を実施するための最良の形態】
【００１５】
以下、本考案を図示例に基づいて詳細に説明する。
図中Ａは、本考案の固形ブドウ糖を示し、この固形ブドウ糖Ａは、主成分となるブドウ糖からなる栄養補助食品である。
すなわち、精神的（神経的な）な疲労回復や、肉体的な疲労回復に優れた効果を発揮するブドウ糖で構成されたものである。
【００１６】
更に、この固形ブドウ糖Ａは、例えば、型崩れし難く、且つ口の中で溶け易くなるような任意の硬さ（柔らかさ）に固形化されると共に、経口可能な（口の中に入れ易い）一定寸法に構成されるものである。
【００１７】
また、この固形ブドウ糖Ａは、例えば、図に示すように、適宜厚みを有する平面略正方形状に形成されている。
【００１８】
すなわち、この固形ブドウ糖Ａは、その上面２が、略正方形状を呈すると共に、下面１より小さく形成され、その外周面が、略等脚台形状を呈すると共に、上面２がわに行くに従って対向面同士が夫々相互に接近するような四つの傾斜側面３で形成されている。
【００１９】
加えて、隣設する上面２と傾斜側面３や、隣設する傾斜側面３相互の稜線部分に、比較的大きな曲率半径の湾曲凸面となる湾曲稜線部４を形成して、固形ブドウ糖Ａを口に入れた時に滑らかとなると共に、固形ブドウ糖Ａ自身が型崩れし難いように形成してある。
【００２０】
ところで、前記傾斜側面３と、湾曲稜線部４を設けることにより、例えば、成形装置の成形型からの固形ブドウ糖Ａ（加圧ブドウ糖塊）の型離れがより良くなって、固形ブドウ糖Ａを綺麗に成型できるようになる。ひいては、固形ブドウ糖Ａを、簡単に且つ能率良く量産できるようになる。
加えて、固形ブドウ糖Ａを、例えば、適宜厚みを有する平面略正方形状とすることにより、成形型に充填凹部を隙間なく多数配設できるようになる。
【００２１】
ところで、固形ブドウ糖Ａは、ブドウ糖のみで構成しても良いし、或いは、ブドウ糖に、煎茶、抹茶、ココア、砂糖、黒糖、ビタミン類等の内の適宜一種類或いは複数種類の補助剤を加えるようにしても良い。すなわち、ブドウ糖以外のその他の栄養補助も行えるようにして、一つの固形ブドウ糖Ａで複合的な栄養補助が可能となるように形成することもできる。
【００２２】
更に、固形ブドウ糖Ａは、図２、図３に示すように、適宜合成樹脂製の個装袋Ｂに一つ宛密封された状態で収容されている。すなわち、固形ブドウ糖Ａの携帯がより容易となり、固形ブドウ糖Ａがより衛生的となり、固形ブドウ糖Ａをお菓子感覚で何時でも何処でも手軽に食せるように形成されている。
尚、個装袋Ｂ内には、空気を一緒に密封しておき、固形ブドウ糖Ａが圧迫され難くなるように形成しても良い。
【００２３】
そして、個装袋Ｂに密封された固形ブドウ糖Ａは、図４に示すように、適宜合成樹脂製（或いは、紙製、複合材等でも良い）の販売用外装体Ｃに複数密封された状態で販売できるように構成されている。
【００２４】
ところで、固形ブドウ糖Ａの具体的構成、形状、寸法、ブドウ糖の具体的割合、補助剤の具体的成分、割合、下面１の具体的構成、形状、寸法、上面２の具体的構成、形状、寸法、傾斜側面３の具体的構成、形状、寸法、傾斜状態、湾曲稜線部４の具体的構成、形状、寸法、個装袋Ｂの具体的構成、形状、寸法、材質、販売用外装体Ｃの具体的構成、形状、寸法、材質等は、図示例のもの等に限定されることなく、適宜自由に設定、変更できるものである。
【００２５】
本考案の固形ブドウ糖Ａは、前述の如く構成されており、この固形ブドウ糖Ａを製造するには、先ず、所定量の粉末状のブドウ糖に、所定量の水を均一に混合しておいてから、この水を含んだ粉末状のブドウ糖をホッパー内に投入する。
そして、ホッパー内の送り込み用回転羽根体等によって、水を含んだ粉末状のブドウ糖を充填用ローラーの下方に常時送り込み、充填用ローラーによって、水を含んだ粉末状のブドウ糖を成形型の複数の充填凹部に加圧充填する。
それから、加圧されたブドウ糖塊の表面を整えた後、加圧ブドウ糖塊を成形型から取出して乾燥せしめて製造される。
【図面の簡単な説明】
【００２６】
【図１】固形ブドウ糖を例示する斜視図である。
【図２】個装袋に収容された状態を例示する固形ブドウ糖の斜視図である。
【図３】個装袋に収容された状態を例示する固形ブドウ糖の側面図である。
【図４】個装袋に収容された状態の固形ブドウ糖が販売用外装体に収容された状態を例示する側断面図である。
【符号の説明】
【００２７】
Ａ      固形ブドウ糖
１      下面
２      上面
３      傾斜側面
４      湾曲稜線部
Ｂ      個装袋
Ｃ      販売用外装体
【図１】
0003111484.tif 000003
【図２】
0003111484.tif 000004
【図３】
0003111484.tif 000005
【図４】
0003111484.tif 000006